(57)【要約】      （修正有）【課題】効率とカップリング性の高いトランスの提供。【解決手段】下コアにプラスチック固定シートが取り付けられ、その中心嵌め管が上下のコアの円柱に挿入され、傍らの複数のピンが基板上の穿孔に挿入され、チョークコイルと基板がプラスチック固定座に固定され、コアとコイルの耐圧値が増され、且つトランスの位置決め点が正確とされ、ピンが平らに整えられて精密ＳＭＤ標準を達成する。【選択図】図４
0003101574.tif 000002
【実用新案登録請求の範囲】
【請求項１】
上コア、下コア、プラスチック固定座、基板、マイラー絶縁片、チョークコイル及びプラスチック絶縁片が組み合わされてなり、そのうち、上コアと下コアの間に基板、マイラー絶縁片、チョークコイル及びプラスチック絶縁片が置かれ、上コアと下コアの中心の円柱に基板、マイラー絶縁片、チョークコイル及びプラスチック絶縁片の中心孔が順に嵌合されたトランスにおいて、
下コアにプラスチック固定座が嵌め込まれ、該プラスチック固定座の中心嵌め管が上コア、下コアの円柱の挿入に供され、プラスチック固定座に複数のピンが設けられ、該ピンが基板の対応する穿孔に挿入され、チョークコイルと基板がプラスチック固定座に固定されて、コアとコイルの耐圧値を増し、トランスの位置決め点を正確とし、ピンを平らに整えて精密ＳＭＤ標準を達成するよう形成されたことを特徴とする、トランス。
【請求項２】
請求項１記載のトランスにおいて、チョークコイルが二組のコイルが交叉重畳してなり、これによりそのカプリング性が増され、並びにトランスの効率が高められたことを特徴とする、トランス。
【考案の詳細な説明】
【技術分野】
【０００１】
本考案は一種のトランスに係り、特に、トランスの位置決め点が正確とされてピンが平らに整えられて精密ＳＭＤ標準を達成し、並びにコアとコイルの耐圧値が増され、二組のチョークコイルが交叉重畳可能とされ、カプリング性が増されたほか、トランスの効率が高められたトランスに関する。
【背景技術】
【０００２】
周知のトランスは図１、２に示されるように、下コアａ、基板（プリント回路板）ｂ、四つのマイラー（Ｍｙｌａｒ）絶縁片ｃ、ｄ、ｅ、ｆ、二つのチョークコイルｇ、ｈ、及び上コアｉが組み合わされてなり、その上コアｉ、下コアａは馬蹄形を呈し、中間にそれぞれ円柱ｉ１、ａ１を具え、相互に当接させられて一体とされ、この当接する円柱ｉ１、ａ１がそれぞれマイラー絶縁片ｃ、基板ｂ、もう一つのマイラー絶縁片ｄ、チョークコイルｇ、さらに一つのマイラー絶縁片ｅ、もう一つのチョークコイルｈ及びさらにもう一つのマイラー絶縁片ｆの中心の円孔ｃ１、ｂ１、ｄ１、ｇ１、ｅ１、ｈ１、ｆ１に挿入された後、接着成形される。
【０００３】
上述の周知のトランスはその使用する三組のマイラー絶縁片ｃ、ｅ、ｆを位置決め及び固定できず、且つマイラー絶縁片ｃ、ｅ、ｆの温度上昇に伴う収縮率の増加が耐圧不足と不安定を形成する。さらに、二つのチョークコイルｇ、ｈは基板ｂと固定不能で且つ交叉重畳不能であり、このためトランスの効率とカプリング性が低くなった。
【考案の開示】
【考案が解決しようとする課題】
【０００４】
ゆえに、従来の技術の欠点を解決したトランスが求められている。ゆえに、本考案の主要な目的は、一種のトランスを提供することにあり、それは、下コアにプラスチック固定座が増設され、該プラスチック固定座がトランスの位置決め点を正確とし、ピンを平らに整え、精密ＳＭＤ標準を達成し、且つコアとコイルの耐圧値を増し、並びにチョークコイルと基板の固定に供されるものとする。
【０００５】
本考案のもう一つの目的は、一種のトランスを提供することにあり、それは、二組のチョークコイルが交叉重畳し、カプリング性を増加するほか、トランスの効率を増したものとする。
【課題を解決するための手段】
【０００６】
請求項１の考案は、上コア、下コア、プラスチック固定座、基板、マイラー絶縁片、チョークコイル及びプラスチック絶縁片が組み合わされてなり、そのうち、上コアと下コアの間に基板、マイラー絶縁片、チョークコイル及びプラスチック絶縁片が置かれ、上コアと下コアの中心の円柱に基板、マイラー絶縁片、チョークコイル及びプラスチック絶縁片の中心孔が順に嵌合されたトランスにおいて、
下コアにプラスチック固定座が嵌め込まれ、該プラスチック固定座の中心嵌め管が上コア、下コアの円柱の挿入に供され、プラスチック固定座に複数のピンが設けられ、該ピンが基板の対応する穿孔に挿入され、チョークコイルと基板がプラスチック固定座に固定されて、コアとコイルの耐圧値を増し、トランスの位置決め点を正確とし、ピンを平らに整えて精密ＳＭＤ標準を達成するよう形成されたことを特徴とする、トランスとしている。
請求項２の考案は、請求項１記載のトランスにおいて、チョークコイルが二組のコイルが交叉重畳してなり、これによりそのカプリング性が増され、並びにトランスの効率が高められたことを特徴とする、トランスとしている。
【考案の効果】
【０００７】
本考案は従来の技術の欠点を解決したトランスを提供しており、それは、下コアにプラスチック固定座が増設され、該プラスチック固定座がトランスの位置決め点を正確とし、ピンを平らに整えて精密ＳＭＤ標準を達成し、且つコアとコイルの耐圧値を増し、並びにチョークコイルと基板の固定に供される。
【０００８】
本考案のトランスは、二組のチョークコイルが交叉重畳し、カプリング性を増加するほか、トランスの効率を増す。
【考案を実施するための最良の形態】
【０００９】
図３、図４に示されるように、本考案は、上コア１、下コア２、プラスチック固定座３、基板４、マイラー絶縁片５、チョークコイル６及びプラスチック絶縁片７が組み合わされてなる。そのうち、上コア１と下コア２の間に基板４（プリント回路板）、マイラー絶縁片５、チョークコイル６及びプラスチック絶縁片７が置かれている。馬蹄形を呈する上コア１と下コア２の中心には円柱１１、２１が設けられて相互に当接させられ一体とされ、基板４、マイラー絶縁片５、チョークコイル６及びプラスチック絶縁片７の中心孔４１、５１、６１、７１が順に上コア１と下コア２の円柱１１、２１に嵌合されている。
【００１０】
本考案の特徴は以下のとおりである。即ち、下コア２にプラスチック固定座３が嵌め込まれ、該プラスチック固定座３の中心嵌め管３１が上コア１、下コア２の円柱１１、２１の挿入に供され、プラスチック固定座３に複数のピン３２が設けられ、該ピン３２が基板４の対応する穿孔４２に挿入され、ピン３２と基板４が導電通路を形成し、プラスチック固定座３の底部の四隅に位置決め点３３が凸設されている。
【００１１】
さらに、本考案のチョークコイル６は二組のコイルが交叉重畳してなり、これによりそのカプリング性が増され、並びにトランスの効率が高められる。チョークコイル６の上方はマイラー絶縁片でなくプラスチック絶縁片７で被覆される。
【００１２】
本考案のトランスは、周知のトランスが使用するマイラー絶縁片が位置決め固定不能で温度上昇による収縮率の増加により耐圧不足と不安定な現象を発生する問題を改善し、本考案はプラスチック固定座の採用によりトランスの位置決め点を正確とし、ピンを平らに整え、精密ＳＭＤ標準を達成し、且つコアとコイルの耐圧値を増し、また該プラスチック固定座がチョークコイルと基板との固定に供される。二組のチョークコイルが交叉重畳することによりそのカプリング性が増し並びにトランスの効率が高められる。本考案の実用機能は明らかであり、またその構造はその出願前に未公開であり、新規性、進歩性を有している。
【図面の簡単な説明】
【００１３】
【図１】周知の製品の外観図である。
【図２】周知の製品の分解図である。
【図３】本考案の外観図である。
【図４】本考案の分解図である。
【符号の説明】
【００１４】
１  上コア              １１  円柱                  ２  下コア
２１  円柱              ３  プラスチック固定座      ３１  中心嵌め管
３２  ピン              ３３  位置決め点            ４  基板
４１  中心孔            ４２  穿孔                  ５  マイラー絶縁片
５１  中心孔            ６  チョークコイル          ６１  中心孔
７  プラスチック絶縁片  ７１  中心孔                ａ  下コア
ａ１  円柱              ｂ  基板
ｃ、ｄ、ｅ、ｆ  マイラー絶縁片
ｂ１、ｃ１、ｄ１、ｅ１、ｆ１  円孔                  ｇ、ｈ  チョークコイル
ｇ１、ｈ１  円孔                                    ｉ  上コア
ｉ１  円柱
【図１】
0003101574.tif 000003
【図２】
0003101574.tif 000004
【図３】
0003101574.tif 000005
【図４】
0003101574.tif 000006